(57)【要約】【課題】小型軽量でありながら、クリック感を有するシリンダ錠の提供。【解決手段】内部に円柱状の空間を有する外殻部材１０１と、外殻部材１０１の内部空間に回動可能に配置され、鍵２００が挿入される鍵孔１２１が回動軸に沿って設けられる回動部材１０２と、回動部材１０２から突出し、外殻部材１０１に設けられる挿入部１０６に挿入されることで、回動部材１０２の回動を規制する回動規制部材１０３と、回動規制部材１０３を回動部材１０２から突出する方向に付勢する付勢手段１０４と、回動規制部材１０３の端部に設けられ、回動部材１０２の回転方向と交差する傾斜面１５１を有する傾斜部１０５とを備え、鍵孔１２１に鍵２００を挿入することにより、傾斜部１０５が外殻部材１０１から回動部材１０２の方向に移動し、外殻部材１０１の内周と交差する位置に配置されるシリンダ錠。【選択図】図４
2014074277.tif 000002
【特許請求の範囲】
【請求項１】
内部に円柱状の空間を有する外殻部材と、
前記外殻部材の内部空間に回動可能に配置され、鍵が挿入される鍵孔が回動軸に沿って設けられる回動部材と、
前記回動部材から突出し、前記外殻部材に設けられる挿入部に挿入されることで、回動部材の回動を規制する回動規制部材と、
前記回動規制部材を前記回動部材から突出する方向に付勢する付勢手段と、
前記回動規制部材の端部に設けられ、前記回動部材の回転方向と交差する傾斜面を有する傾斜部とを備え、
前記鍵孔に鍵を挿入することにより、前記傾斜部が前記外殻部材から前記回動部材の方向に前記回動規制部材と共に移動し、前記外殻部材の内周と交差する位置に配置される
シリンダ錠。
【請求項２】
さらに、
前記外殻部材はさらに、
前記回動部材から突出する前記傾斜部を収容するクリック部を備える
請求項１に記載のシリンダ錠。
【請求項３】
前記回動規制部材は、
前記鍵が挿入される挿入孔を備え、
前記挿入孔と前記鍵孔とが重なるように配置される
請求項１または２に記載のシリンダ錠。
【請求項４】
前記回動部材は、前記回動規制部材を複数備え、
前記回動規制部材の少なくとも一つが、前記傾斜部を有する
請求項１から３のいずれか１項に記載のシリンダ錠。
【請求項５】
内部に円柱状の空間を有する外殻部材と、
前記外殻部材の内部空間に回動可能に配置され、鍵が挿入される鍵孔が回動軸に沿って設けられる回動部材と、
前記回動部材から突出し、前記外殻部材に設けられる挿入部に挿入されることで、回動部材の回動を規制する回動規制部材と、
前記回動規制部材を前記回動部材から突出する方向に付勢する付勢手段と、
前記回動規制部材の端部に設けられ、前記回動部材の回転方向と交差する面を有する傾斜部とを備え、
前記鍵孔に鍵を挿入することにより、前記傾斜部が前記外殻部材から前記回動部材の方向に移動し、前記外殻部材の内周と交差する位置に配置される
電子機器。
【請求項６】
内部に円柱状の空間を有する外殻部材と、
前記外殻部材の内部空間に回動可能に配置され、鍵が挿入される鍵孔が回動軸に沿って設けられる回動部材と、
前記回動部材から突出し、前記外殻部材に設けられる挿入部に挿入されることで、回動部材の回動を規制する回動規制部材と、
前記回動規制部材を前記回動部材から突出する方向に付勢する付勢手段と、
前記回動規制部材の端部に設けられ、前記回動部材の回転方向と交差する面を有する傾斜部とを備え、
前記鍵孔に鍵を挿入することにより、前記傾斜部が前記外殻部材から前記回動部材の方向に前記回動規制部材と共に移動し、前記外殻部材の内周と交差する位置に配置される
レジスター。
【請求項７】
内部に円柱状の空間を有する外殻部材と、
前記外殻部材の内部空間に回動可能に配置され、鍵が挿入される鍵孔が回動軸に沿って設けられる回動部材と、
前記回動部材から突出し、前記外殻部材に設けられる挿入部に挿入されることで、回動部材の回動を規制する回動規制部材と、
前記回動規制部材を前記回動部材から突出する方向に付勢する付勢手段と、
前記回動規制部材の端部に設けられ、前記回動部材の回転方向と交差する面を有する傾斜部とを備え、
前記鍵孔に鍵を挿入することにより、前記傾斜部が前記外殻部材から前記回動部材の方向に前記回動規制部材と共に移動し、前記外殻部材の内周と交差する位置に配置される第一錠と、
前記第一錠の構成に、前記外殻部材に設けられ、前記外殻部材から前記回動部材の方向に前記回動規制部材と共に移動し、前記外殻部材の内周と交差する位置に前記傾斜部を収容するクリック部が追加される第二錠と
を備えるレジスター。
【発明の詳細な説明】
【技術分野】
【０００１】
本願発明は、シリンダ錠に関し、特に机の引出しやキャビネット、ロッカーの他、レジスター等の電子機器用のシリンダ錠として適用されるものである。
【背景技術】
【０００２】
例えば、料金などの計算を行い、お金を保存、および、出し入れするレジスター等の電子機器には、非通電時でもお金の出し入れができるように、レジスターの引き出しには機械的なシリンダ錠が設けられている。このようなシリンダ錠は、鍵を回動させる際に鍵の回動位置がクリック感（節度感）による手応えや音によってわかるようにクリック機構（節度機構）が設けられることがある。
【０００３】
例えば、特許文献１には、クリック感を発生させるクリック機構が記載されている。当該特許文献１の記載によると、クリック機構が小型であると、手作業などによる組み立てが困難となるため、クリック機構をできる限り大型化することで、シリンダ錠の組み立てなどを容易にすることが記載されている。
【先行技術文献】
【特許文献】
【０００４】
【特許文献１】実開平６−７４７６７号公報
【発明の概要】
【発明が解決しようとする課題】
【０００５】
ところが特に、レジスターなどの電子機器に設けられるシリンダ錠などについては、できる限り部品点数を少なくして小型化を図りながら、クリック感を発生させたいとの要請がある。
【０００６】
本願発明は、上記要請に鑑みなされたものであり、鍵を回動させる際にクリック感を発生させることができ、しかも、部品点数を減らし、小型化を可能とするシリンダ錠の提供を目的とする。
【課題を解決するための手段】
【０００７】
上記目的を達成するために、本願発明にかかるシリンダ錠は、内部に円柱状の空間を有する外殻部材と、前記外殻部材の内部空間に回動可能に配置され、鍵が挿入される鍵孔が回動軸に沿って設けられる回動部材と、前記回動部材から突出し、前記外殻部材に設けられる挿入部に挿入されることで、回動部材の回動を規制する回動規制部材と、前記回動規制部材を前記回動部材から突出する方向に付勢する付勢手段と、前記回動規制部材の端部に設けられ、前記回動部材の回転方向と交差する傾斜面を有する傾斜部とを備え、前記鍵孔に鍵を挿入することにより、前記傾斜部が前記外殻部材から前記回動部材の方向に前記回動規制部材と共に移動し、前記外殻部材の内周と交差する位置に配置されることを特徴とする。
【０００８】
回動部材の回動を規制する回動規制部材の端部を傾斜部とすることにより、鍵が挿入された状態の回動規制部材をクリック機構の一部として機能させることができる。したがって、クリック機構を別途設ける必要がなくなり、シリンダ錠の部品点数を減少させ、シリンダ錠の小型化に寄与することが可能となる。
【０００９】
前記外殻部材はさらに、前記回動部材から突出する前記傾斜部を収容するクリック部を
備えるものでもよい。
【００１０】
これによれば、解錠位置や施錠位置以外の位置でもクリック部によるクリック感により回動部材の回動を停止させることができる。従って、当該シリンダ錠をモード変更スイッチなどにも応用することが可能となる。
【００１１】
また、前記回動規制部材は、前記鍵が挿入される挿入孔を備え、前記挿入孔と前記鍵孔とが重なるように配置されてもよい。
【００１２】
これにより、回動規制部材を鍵孔と重なるように配置することができるため、鍵孔を回避して回動規制部材を配置する必要がなくなる。従ってシリンダ錠の小型化を図ることが可能となる。
【００１３】
また、前記回動部材は、前記回動規制部材を複数備え、前記回動規制部材の少なくとも一つが、前記傾斜部を有してもよい。
【００１４】
これにより、錠前としての安全性を向上させることができる。
【００１５】
また、内部に円柱状の空間を有する外殻部材と、前記外殻部材の内部空間に回動可能に配置され、鍵が挿入される鍵孔が回動軸に沿って設けられる回動部材と、前記回動部材から突出し、前記外殻部材に設けられる挿入部に挿入されることで、回動部材の回動を規制する回動規制部材と、前記回動規制部材を前記回動部材から突出する方向に付勢する付勢手段と、前記回動規制部材の端部に設けられ、前記回動部材の回転方向と交差する面を有する傾斜部とを備え、前記鍵孔に鍵を挿入することにより、前記傾斜部が前記外殻部材から前記回動部材の方向に前記回動規制部材と共に移動し、前記外殻部材の内周と交差する位置に配置される電子機器としてもよい。
【００１６】
これによれば、機械的なシリンダ錠を電子機器に搭載することで、電子機器のセキュリティを向上させることができ、さらに、シリンダ錠を小型化、軽量化することができるため、携帯用の電子機器などの小型化、軽量化に寄与することが可能となる。
【００１７】
また、内部に円柱状の空間を有する外殻部材と、前記外殻部材の内部空間に回動可能に配置され、鍵が挿入される鍵孔が回動軸に沿って設けられる回動部材と、前記回動部材から突出し、前記外殻部材に設けられる挿入部に挿入されることで、回動部材の回動を規制する回動規制部材と、前記回動規制部材を前記回動部材から突出する方向に付勢する付勢手段と、前記回動規制部材の端部に設けられ、前記回動部材の回転方向と交差する面を有する傾斜部とを備え、前記鍵孔に鍵を挿入することにより、前記傾斜部が前記外殻部材から前記回動部材の方向に前記回動規制部材と共に移動し、前記外殻部材の内周と交差する位置に配置されるレジスターとしてもよい。
【００１８】
これによれば、機械的なシリンダ錠をレジスターに搭載することで、レジスターのセキュリティを向上させることができる。
【００１９】
また、内部に円柱状の空間を有する外殻部材と、前記外殻部材の内部空間に回動可能に配置され、鍵が挿入される鍵孔が回動軸に沿って設けられる回動部材と、前記回動部材から突出し、前記外殻部材に設けられる挿入部に挿入されることで、回動部材の回動を規制する回動規制部材と、前記回動規制部材を前記回動部材から突出する方向に付勢する付勢手段と、前記回動規制部材の端部に設けられ、前記回動部材の回転方向と交差する面を有する傾斜部とを備え、前記鍵孔に鍵を挿入することにより、前記傾斜部が前記外殻部材から前記回動部材の方向に前記回動規制部材と共に移動し、前記外殻部材の内周と交差する
位置に配置される第一錠と、前記第一錠の構成に、前記外殻部材に設けられ、前記外殻部材から前記回動部材の方向に前記回動規制部材と共に移動し、前記外殻部材の内周と交差する位置に前記傾斜部を収容するクリック部が追加される第二錠とを備えるレジスターとしても良い。
【００２０】
これによれば、現金が収容される引き出しの解錠施錠に用いる鍵と、レジスターのモードを変更するための鍵とを共通化することができ、より利便性の高いレジスターを提供することが可能となる。
【発明の効果】
【００２１】
本願発明によれば、部品点数が少なく、小型で軽量のシリンダ錠を提供することができる。
【図面の簡単な説明】
【００２２】
【図１】図１は、シリンダ錠の外観を模式的に示す斜視図である。
【図２】図２は、回動部材の外観を模式的に示す斜視図である。
【図３】図３は、シリンダ錠をＸＹ平面で切断した場合の断面を模式的に示す斜視図であり、鍵が挿入されず回動規制部材が突出した状態のシリンダ錠を示している。
【図４】図４は、シリンダ錠をＸＹ平面で切断した場合の断面を模式的に示す斜視図であり、鍵が挿入され回動規制部材が後退した状態のシリンダ錠を示している。
【図５】図５は、回動規制部材を示す斜視図である。
【図６】図６は、回動規制部材、および、回動部材の外殻部材に対する動作を説明するための断面図である。
【図７】図７は、回動規制部材、および、回動部材の外殻部材に対する動作を説明するための断面図である。
【図８】図８は、回動規制部材、および、回動部材の外殻部材に対する動作を説明するための断面図である。
【図９】図９は、回動規制部材、および、回動部材の外殻部材に対する動作を説明するための断面図である。
【図１０】図１０は、外殻部材にクリック部が設けられたシリンダ錠をＸＹ平面で切断した場合の断面を模式的に示す斜視図であり、鍵が挿入され回動規制部材が後退した状態のシリンダ錠を示している。
【図１１】図１１は、回動規制部材を複数備えたシリンダ錠の回動部材を鍵とともに示す斜視図である。
【図１２】図１２は、レジスターの外観の一例を模式的に示す斜視図である。
【図１３】図１３は、別態様のシリンダ錠をＸＹ平面で切断した場合の断面を模式的に示す斜視図である。
【発明を実施するための形態】
【００２３】
次に、本願発明に係るシリンダ錠の実施の形態について、図面を参照しつつ説明する。なお、以下の実施の形態は、本願発明に係るシリンダ錠の一例を示したものに過ぎない。従って本願発明は、以下の実施の形態を参考に請求の範囲の文言によって範囲が画定されるものであり、以下の実施の形態のみに限定されるものではない。よって、以下の実施の形態における構成要素のうち、独立請求項に記載されていない構成要素については、本発明の課題を達成するのに必ずしも必要ではないが、より好ましい形態を構成するものとして説明される。
【００２４】
（実施の形態１）
図１は、シリンダ錠の外観を模式的に示す斜視図である。
【００２５】
図２は、回動部材の外観を模式的に示す斜視図である。
【００２６】
図3は、シリンダ錠をＸＹ平面で切断した場合の断面を模式的に示す斜視図であり、鍵が挿入されず回動規制部材が突出した状態のシリンダ錠を示している。
【００２７】
図４は、シリンダ錠をＸＹ平面で切断した場合の断面を模式的に示す斜視図であり、鍵が挿入され回動規制部材が後退した状態のシリンダ錠を示している。
【００２８】
これらの図に示すように、シリンダ錠１００は、外殻部材１０１と、回動部材１０２と、回動規制部材１０３と、付勢手段１０４と、傾斜部１０５と、挿入部１０６とを備えている。
【００２９】
外殻部材１０１は、内部に回動部材１０２を収容するための円柱状の空間を有する部材である。本実施の形態の場合、外殻部材１０１は、内方に円柱状の空間を有する円筒形状の部材である。また、外殻部材１０１は、収容する回動部材１０２が鍵２００のひき抜き方向（図１中Ｚ軸の正の向き）に抜け出るのを防止するフランジ部１１１を備えている。フランジ部１１１は、外殻部材１０１の端部内周から内方に突き出した状態で一体に設けられている。
【００３０】
回動部材１０２は、外殻部材１０１の内方に外殻部材１０１に対して回動可能に配置され、鍵２００が挿入される鍵孔１２１が回動軸に沿って設けられる外形が円柱状の部材である。回動部材１０２の回動軸と外殻部材１０１の円柱形状の内部空間の中心軸とは同軸に配置されており、回動部材１０２は、外殻部材１０１の内部空間の中心軸と一致する回動軸を中心に回動可能に保持される。
【００３１】
図５は、回動規制部材を示す斜視図である。
【００３２】
回動規制部材１０３は、回動部材１０２から突出し、外殻部材１０１に設けられる挿入部１０６に挿入されることで、外殻部材１０１と回動部材１０２との境界を跨ぐように配置され、回動部材１０２の外殻部材１０１に対する回動を規制する（図３に示す状態）部材である。本実施の形態の場合、回動規制部材１０３は、回動部材１０２から突出した状態において、外殻部材１０１と回動部材１０２との境界面と交差する第一面１３１と第一面１３１と反対側の第二面１３２と備える断面矩形の外形を備えた部材であり、回動軸を中心とする放射方向（図中Ｘ軸方向）に沿って配置されている。回動規制部材１０３は、前記放射方向（図中Ｘ軸方向）に沿って延び回動部材１０２に設けられる回動規制部材収容部１０７に前記放射方向（図中Ｘ軸方向）に移動できるように配置されている。回動規制部材１０３が外殻部材１０１と回動部材１０２との境界と交差するように配置されることにより、外殻部材１０１に第一面１３１、または、第二面１３２が押しつけられて回動部材１０２の回動が規制される。
【００３３】
また本実施の形態の場合、回動規制部材１０３は、鍵２００が挿入される挿入孔１３３を備えている。挿入孔１３３は、鍵孔１２１と重なるように、つまり、鍵孔１２１に挿入された鍵が挿入孔１３３にも挿入される位置に配置されている。挿入孔１３３は、鍵２００が挿入された状態（図４に示す状態）において、前記放射方向（図中Ｘ軸方向）に回動規制部材１０３を図４中Ｘ軸負の方向に移動させることができる大きさの孔である。
【００３４】
また、回動規制部材１０３は、鍵孔１２１に挿入された鍵２００によって回動部材１０２の内方に後退する。具体的には、回動規制部材１０３が突出した状態（図３に示す状態）から傾斜部１０５が外殻部材１０１の内周と交差する状態（図４に示す位置）まで後退する。本実施の形態の場合、回動規制部材１０３は、鍵孔１２１に挿入される鍵と当接す
る当接面部１３４を、傾斜部１０５とは反対側の端部に備えている。
【００３５】
回動規制部材１０３は、回動規制部材１０３の移動方向（図中Ｘ軸方向）と交差する方向（図中Ｙ軸方向）に延び、第一面１３１から突出する係合部１３５を備えている。係合部１３５は、付勢手段１０４と接続され、付勢手段１０４からの付勢力を受け止める部分である。
【００３６】
付勢手段１０４は、回動規制部材１０３を前記放射方向に付勢するものである。本実施の形態の場合、付勢手段１０４は、ばねであり、回動規制部材１０３を回動部材１０２から外殻部材１０１に向かって付勢するように、回動規制部材１０３の係合部１３５と回動部材１０２との間に形成される付勢手段配置空間１４１に配置されている。
【００３７】
なお、付勢手段１０４は、係合部１３５を介することなく直接回動規制部材１０３を付勢するものでもよい。また、付勢手段１０４としては、圧縮ばね、引張ばね、板ばね、樹脂ばね、ゴムなどの弾性部材などを例示することができる。
【００３８】
傾斜部１０５は、回動規制部材１０３の外殻部材１０１側の端部に設けられている。鍵孔１２１に鍵が挿入されることにより回動規制部材１０３が回動部材１０２の内方に移動することで、外殻部材１０１の内周と交差する位置に配置される。傾斜部１０５は、回動部材１０２の回転方向と交差する傾斜面１５１を備えており、鍵２００が挿入され、外殻部材１０１に対し回動部材１０２を回動させることにより、外殻部材１０１に傾斜面１５１が押しつけられるものとなっている。以上の構成により、挿入された鍵２００を介して回動部材１０２を回動させることで、回動規制部材１０３は、付勢手段１０４の付勢力に抗して回動部材１０２の内方に後退する。なお、傾斜面１５１は、平面ばかりでなく曲面でもかまわない。
【００３９】
挿入部１０６は、外殻部材１０１の内周面に設けられ、回動規制部材１０３の一部を収容することができる大きさを備えた空間である。本実施の形態の場合、挿入部１０６は、傾斜部１０５を収容し、さらに、回動規制部材１０３の一部を収容することができる大きさを備えている。挿入部１０６は、外殻部材１０１を放射方向に貫通した状態で設けられている。このように外殻部材１０１を貫通した挿入部１０６とすることで、外殻部材１０１を容易に形成することができる。
【００４０】
なお、図中では挿入部１０６は、外殻部材１０１を貫通する貫通孔として記載しているが、図１３に示すように、一端部が閉塞された穴であってもかまわない。
【００４１】
回動規制部材収容部１０７は、回動部材１０２に設けられ、回動規制部材１０３収容することのできる空間である。なお、本実施の形態では、回動規制部材収容部１０７は、回動部材１０２を貫通しているが、これに限定されるものではなく、回動規制部材収容部１０７の一端が閉塞されるものでもかまわない。
【００４２】
次に、本実施の形態におけるシリンダ錠１００の動作を説明する。
【００４３】
まず、図３、図６に示すように、鍵２００が鍵孔１２１に挿入されていない状態においては、回動規制部材１０３は、挿入部１０６に挿入され、第一面１３１、および、第二面１３２と外殻部材１０１と回動部材１０２との境界とが交差する状態で配置されている。つまり、外殻部材１０１に設けられた挿入部１０６に、傾斜部１０５全体が侵入した状態となっている。この状態では、回動部材１０２を回動させようとしても、回動規制部材１０３の第一面１３１、または、第二面１３２が外殻部材１０１に押しつけられるため、外殻部材１０１に対し回動部材１０２を回動することはできない。つまり、シリンダ錠１０
０は、いわゆる施錠状態となっている。
【００４４】
次に、鍵２００を鍵孔１２１に挿入することにより、図４、図７に示すように、鍵２００が回動規制部材１０３の当接面部１３４と当接し、回動規制部材１０３は、傾斜部１０５が外殻部材１０１の内周と交差する位置まで回動部材１０２の内方に移動する。
【００４５】
次に、操作者が鍵２００を回動させると、回動部材１０２の回動に伴って回動規制部材１０３も回動軸を中心に回動する。この回動の初期段階においては、傾斜部１０５の傾斜面１５１が外殻部材１０１に押しつけられ、回動規制部材１０３は、図８に示すように、傾斜部１０５が回動部材１０２の回動規制部材収容部１０７に収容されるまで回動規制部材１０３は、回動部材１０２の内方に移動する。この段階において、外殻部材１０１に対し付勢手段１０４により押しつけられている傾斜部１０５の部分が、傾斜面１５１から先端面に変化する感覚がクリック感として操作者に感じ取られる。
【００４６】
そして、図８に示す状態、すなわち回動規制部材収容部１０７に傾斜部１０５を含む回動規制部材１０３が収容された状態においては、回動部材１０２はスムーズに回動する。
【００４７】
次に、回動部材１０２を回動し続けると、図９に示すように、回動規制部材１０３は、付勢手段１０４の付勢力により第二の挿入部１０６に挿入される。この挿入される段階において、外殻部材１０１に対し付勢手段１０４により押しつけられている傾斜部１０５の部分が、先端面から傾斜面１５１に変化する感覚、および、傾斜面１５１から第一面１３１、または、第二面１３２に変化する感覚が鍵２００を操作する操作者にクリック感として感じ取られる。本実施の形態の場合、当接面部１３４が、鍵２００に衝突するため、当該衝撃もクリック感として感じ取られる場合がある。
【００４８】
以上の動作を繰り返すことで、本実施の形態に係るシリンダ錠１００は、解錠や施錠を行うと共に、クリック感を得ることが可能となる。しかも、回動部材１０２の回動を規制する回動規制部材１０３がクリック感を発生させる部材としても機能するため、シリンダ錠１００の部品点数を減少させ、小型、軽量化を図ることが可能となる。
【００４９】
なお、上記シリンダ錠１００は、図１０に示すような構成を有していてもかまわない。すなわち、上記シリンダ錠１００の構成に加えて、外殻部材１０１に設けられ、回動部材１０２から突出する傾斜部１０５を収容する空間であるクリック部１０８を備えてもかまわない。
【００５０】
本実施の形態の場合、クリック部１０８は、傾斜部１０５が挿入されてクリック感は発生するが、傾斜部１０５が外殻部材１０１の内周と交差する位置に維持できる大きさとなっている。また、クリック部１０８は、挿入部１０６と同様、外殻部材１０１を貫通する貫通孔であってもかまわない。
【００５１】
以上の様な構成とすることにより、鍵２００を挿入して回動部材１０２を回動させる際、回動規制部材１０３が、付勢手段１０４の付勢力によりクリック部１０８に挿入される。このとき、外殻部材１０１に対し付勢手段１０４により押しつけられている傾斜部１０５の位置の変化によりクリック感が発生する。ただし、この場合、回動規制部材１０３の第一面１３１、および、第二面１３２は外殻部材１０１と回動部材１０２との境界に跨がって配置されていないため、回動部材１０２を回動し続けることができる。
【００５２】
従って、シリンダ錠１００に解錠位置、および、施錠位置以外にクリック感を発生させる位置を設けることができ、シリンダ錠１００に解錠、施錠をする錠前としての機能以外に他の機能を付与することができる。
【００５３】
また、上記シリンダ錠１００は、図１１に示すように、回動規制部材１０３を複数備えるものでもよい。また、複数の回動規制部材１０３の内、少なくとも一つの回動規制部材１０３の先端に傾斜部１０５を設け、他の回動規制部材１０３は、傾斜部１０５を備えず、鍵２００が挿入されることによって、回動部材１０２の内方に全て挿入されるものでもかまわない。
【００５４】
この場合、外殻部材１０１には、回動規制部材１０３の数に対応する以上の挿入部１０６が設けられる。
【００５５】
以上の構成のシリンダ錠１００とすることで、クリック感を回動規制部材１０３で発生させることができると共に、シリンダ錠１００の錠前としての安全性を高めることができる。
【００５６】
なお、図１１中では、一つの回動規制部材１０３に傾斜部１０５が設けられているが、傾斜部１０５を設ける回動規制部材１０３は任意であり、全ての回動規制部材１０３に傾斜部１０５を設けてもよい。
【００５７】
（実施の形態２）
次に、本願発明に係る電子機器（レジスター含む）の実施の形態について、図面を参照しつつ説明する。なお、以下の実施の形態は、本願発明に係る電子機器（レジスター含む）の一例を示したものに過ぎない。従って本願発明は、以下の実施の形態を参考に請求の範囲の文言によって範囲が画定されるものであり、以下の実施の形態のみに限定されるものではない。
【００５８】
図１２は、レジスターの外観の一例を模式的に示す斜視図である。
【００５９】
同図に示すようにレジスター３００は、挿入部１０６が設けられる外殻部材１０１と、回動規制部材収容部１０７と鍵孔１２１とが設けられる回動部材１０２と、鍵２００の挿入により回動部材１０２の内方に移動する回動規制部材１０３と、回動規制部材１０３を回動部材１０２から突出する方向に付勢する付勢手段１０４と、回動規制部材１０３の先端に設けられ、クリック感を発生させるための傾斜面１５１を備える傾斜部１０５とを備えるシリンダ錠１００を第一錠１９１として備えている。
【００６０】
第一錠１９１は、現金を収容する引き出し３０１に取り付けられており、引き出し３０１の解錠施錠に用いられる。第一錠１９１は、施錠状態であっても鍵２００を抜き差しすることができ、かつ、解錠状態であっても鍵を抜き差しすることができるものとなっている。
【００６１】
さらに本実施の形態の場合、レジスター３００は、第一錠１９１の構成（実施の形態１で説明したシリンダ錠１００の構成）に、外殻部材１０１に設けられ、回動部材１０２から突出する傾斜部１０５を収容する空間であるクリック部１０８を備えるシリンダ錠１００を第二錠１９２として備えている。
【００６２】
第二錠１９２は、レジスター３００本体のキー配置部３０２の上方に取り付けられており、レジスター３００のモードの切り替えに用いられている。具体的にレジスター３００は、第一錠１９１に挿入され、第一錠１９１を解錠状態とした鍵２００を第二錠１９２に挿入することで第二錠１９２を解錠することができるものとなっている。つまり第一錠１９１と第二錠１９２とは共通の鍵２００が適用される。そして、第二錠１９２に挿入された鍵２００をクリック感とレジスター３００の表面に記載された記号や文字（図示せず）
を頼りに、操作者は希望のモードとなるように鍵２００を回動させる。具体的に例えば、図１０に示すような、外殻部材１０１に設けられる挿入部１０６の位置や、クリック部１０８の位置に対応してレジスター３００の表面に記号や文字が記載されており、操作者が目的のモードを示す記号や文字を目指して鍵２００を回動させ、挿入部１０６やクリック部１０８に傾斜部１０５が挿入された時のクリック感を目印として回動を停止する。
【００６３】
以上によって、回動部材１０２の回動位置が解錠位置や施錠位置以外の位置で停止したとしても、回動部材１０２の回動と連動して動作する電気接点（図示せず）を正確にＯＮまたはＯＦＦすることができ、レジスター３００を所望のモードで動作させることができる。
【００６４】
なお、本願発明は、上記実施の形態に限定されるものではない。例えば、本明細書において記載した構成要素を任意に組み合わせて、また、構成要素のいくつかを除外して実現される別の実施の形態を本願発明の実施の形態としてもよい。また、上記実施の形態に対して本願発明の主旨、すなわち、請求の範囲に記載される文言が示す意味を逸脱しない範囲で当業者が思いつく各種変形を施して得られる変形例も本願発明に含まれる。
【００６５】
例えば、挿入部１０６、回動規制部材収容部１０７、クリック部１０８の個数は制限されるものでは無く、例えば、シリンダ錠１００が取り付けられた電子機器（レジスター含む）の必要なモードの数等に対応して設ければ良い。
【００６６】
また、外殻部材１０１は、レジスターなどの電子機器の筐体と一体であってもかまわない。
【００６７】
また、付勢手段１０４としてつるまきばねを例示しているが、付勢手段１０４は、例えば板ばねのような他の種類のばねでも良く、また、材質も、金属や樹脂などに限定されるものではない。
【産業上の利用可能性】
【００６８】
本願発明は、ロッカーや机等の施解錠や、レジスターや情報端末や携帯電話などの電子機器などのモード変更やセキュリティ対策に利用することができる。
【符号の説明】
【００６９】
１００  シリンダ錠
１０１  外殻部材
１０２  回動部材
１０３  回動規制部材
１０４  付勢手段
１０５  傾斜部
１０６  挿入部
１０７  回動規制部材収容部
１０８  クリック部
１１１  フランジ部
１２１  鍵孔
１３１  第一面
１３２  第二面
１３３  挿入孔
１３４  当接面部
１３５  係合部
１５１  傾斜面
１９１  第一錠
１９２  第二錠
２００  鍵
３００  レジスター
３０１  引き出し
３０２  キー配置部
【図１】
2014074277.tif 000003
【図２】
2014074277.tif 000004
【図３】
2014074277.tif 000005
【図４】
2014074277.tif 000006
【図５】
2014074277.tif 000007
【図６】
2014074277.tif 000008
【図７】
2014074277.tif 000009
【図８】
2014074277.tif 000010
【図９】
2014074277.tif 000011
【図１０】
2014074277.tif 000012
【図１１】
2014074277.tif 000013
【図１２】
2014074277.tif 000014
【図１３】
2014074277.tif 000015